(57)【要約】【課題】可動ガイドの位置決めをユーザに負担をかけることなく行うことができる可動ガイドおよびプリンタを提供する。【解決手段】用紙４が載置される載置部１２と、用紙の一端を規制する固定ガイド１８と、用紙の他端の位置を規制する可動ガイド１００と、を備え、載置面には、第一方向に並ぶ複数の凹部１４が形成されており、可動ガイドは、用紙の他端を規制する壁部１０１と、レバー部１０１と、複数の凹部とかみ合う凸部１０４ａと、を有し、複数の凹部および凸部は、凸部が複数の凹部に対して、第一方向の一方側に移動する場合よりも、第一方向の他方側に移動する場合の方が、所定の凹部に強く引っ掛かるような形状であり、凸部は、レバー部に対して、第一方向の他方側に向けた力が加えられた場合、旋回することにより、所定の凹部とのかみ合いが解除されるように、レバー部の第一方向の一方側に離れた位置に形成されている。【選択図】図９Ａ
2016020252.tif 000002
【特許請求の範囲】
【請求項１】
用紙を第一方向における所定の位置に載置するための可動ガイドを有する用紙ガイドであって、
前記用紙が載置される載置面を有する載置部と、
前記載置面に載置された前記用紙の一端の位置を規制する固定ガイドと、
前記載置面に対して前記第一方向にスライド可能に設けられ、かつ、前記用紙の他端の位置を規制する可動ガイドと、を備え、
前記載置面には、前記可動ガイドがスライドする領域において、前記第一方向に並ぶ複数の凹部が形成されており、
前記可動ガイドは、
前記固定ガイドと前記第一方向で対向しており、かつ、前記用紙の他端を規制する壁部と、
前記載置面に交差する第二方向に延びるレバー部と、
前記複数の凹部のうちの所定の凹部とかみ合う凸部と、を有し、
前記複数の凹部および前記凸部の少なくとも一方は、前記凸部が前記複数の凹部に対して、前記第一方向の一方側に移動する場合よりも、前記第一方向の他方側に移動する場合の方が、前記所定の凹部に強く引っ掛かるような形状であり、
前記凸部は、前記レバー部に対して、前記第一方向の他方側に向けた力が加えられた場合、前記レバー部の前記載置面側の端部を支点にして旋回することにより、前記所定の凹部とのかみ合いが解除されるように、前記レバー部の前記第一方向の一方側に離れた位置に形成されている
用紙ガイド。
【請求項２】
前記可動ガイドは、
前記レバー部に対して前記第一方向の一方側に向けて力が加えられた場合、前記凸部が前記所定の凹部を乗り越えることにより、前記第一方向の一方側に移動可能であり、
前記レバー部に対して前記第一方向の他方側に向けて力が加えられた場合、前記凸部と前記所定の凹部とのかみ合いが解除されることにより、前記第一方向の他方側に移動可能である
請求項１に記載の用紙ガイド。
【請求項３】
前記複数の凹部のそれぞれは、前記第一方向の一方側の第一面と、前記第一方向の他方側の第二面とを有する、断面がＶ字形状の溝であり、
前記第一方向と前記第一面とがなす角の角度は、前記第一方向と前記第二面とがなす角の角度よりも小さく、
前記凸部は、前記所定の凹部とかみ合った状態で、前記第一面に接する第三面と、前記第二面に接する第四面とを有する、断面がＶ字形状のリブである
請求項１または２に記載の用紙ガイド。
【請求項４】
前記可動ガイドでは、前記凸部と前記支点とは、前記第一方向に交差する第三方向において異なる位置に形成されており、
前記載置面には、前記支点がスライドする領域を除く領域に、前記複数の凹部が形成されている
請求項１から３のいずれか１項に記載の用紙ガイド。
【請求項５】
前記可動ガイドは、さらに、
前記レバー部に連続しており、かつ、前記レバー部から前記第一方向の一方側に向けて延びる引っ掛かり部と、
前記レバー部に連続しており、前記レバー部の前記引っ掛かり部とは前記第三方向に異なる位置から前記第一方向の少なくともいずれかに向けて延びる基部とを有し、
前記引っ掛かり部には、前記レバー部から前記第一方向の一方側に離れた位置に、前記凸部が形成されている
請求項４に記載の用紙ガイド。
【請求項６】
前記レバー部は、前記第一方向の他方側に向けて力が加えられた場合、前記レバー部と前記基部とが互いに近づく方向に弾性変形し、かつ、前記レバー部の傾きに応じて前記引っ掛かり部を旋回させるように、前記基部および前記引っ掛かり部と連続している
請求項５に記載の用紙ガイド。
【請求項７】
前記レバー部には、前記レバー部から前記載置面に向かって突出し、かつ、前記支点として機能する突起部が形成されており、
前記引っ掛かり部および前記基部と前記載置面との間には、前記突起部および前記凸部により前記可動ガイドが前記載置面に対して支持されることにより、隙間が設けられている
請求項５または６に記載の用紙ガイド。
【請求項８】
前記載置部には、前記第一方向に延びるスリットが設けられており、
前記基部には、（ｉ）前記スリットを貫通し、（ｉｉ）前記スリットに対して前記第一方向に移動可能であり、かつ、（ｉｉｉ）前記基部が前記載置面から離れないように前記スリットとフックするフック部が形成されており、
前記フック部は、前記レバー部の前記支点よりも、前記第一方向の一方側に位置する
請求項５から７のいずれか１項に記載の用紙ガイド。
【請求項９】
前記凸部は、前記壁部よりも前記第一方向の他方側に設けられる
請求項１から８のいずれか１項に記載の用紙ガイド。
【請求項１０】
請求項１から９のいずれか１項に記載の用紙ガイドと、
前記用紙ガイドに載置された用紙が供給され、供給された用紙に印刷を行う印刷部と、を備える
プリンタ。
【発明の詳細な説明】
【技術分野】
【０００１】
本発明は、用紙ガイドおよびプリンタに関する。
【背景技術】
【０００２】
従来、プリンタなどにおいて用紙を供給するための給紙装置において、複数のサイズの用紙のそれぞれに対応して、複数のサイズのうちの一つのサイズの用紙の端部の位置決めを行うために、用紙の幅方向にスライドして位置決めを行うことができる用紙ガイド部材が提案されている（特許文献１参照）。この用紙ガイド部材では、用紙の幅方向の位置を決めるための係止突起が設けられており、係止突起が係止溝に係止することで用紙ガイド部材が幅方向に動かないように規制する。そして、ユーザは、用紙ガイド部材の押圧レバーを押すことにより、係止突起と係止溝との係止を解除して、幅方向の両側に用紙ガイド部材をスライドさせることで、用紙ガイド部材の位置決めを行っている。
【先行技術文献】
【特許文献】
【０００３】
【特許文献１】特開平７−２８５６８１号公報
【発明の概要】
【発明が解決しようとする課題】
【０００４】
しかしながら、ユーザは、用紙ガイド部材をスライドさせるときに、幅方向の一方側にスライドさせるときも、他方側にスライドさせるときも、押圧レバーを押す必要がある。このため、用紙ガイド部材をスライドさせるときに、用紙ガイド部材の押圧レバーを押しながらスライドさせる必要があり、押圧レバーを押す方向と用紙ガイド部材を移動させる方向とが一致しない場合がある。このため、ユーザは２本以上の指を用いて用紙ガイド部材を移動させる必要がある。
【０００５】
そこで、本発明は、このような状況に鑑みてなされたものであり、可動ガイドの位置決めをユーザに負担をかけることなく行うことができる可動ガイドおよびプリンタを提供することを目的とする。
【課題を解決するための手段】
【０００６】
上記目的を達成するために、本発明の一態様に係る用紙ガイドは、用紙を第一方向における所定の位置に載置するための可動ガイドを有する用紙ガイドであって、前記用紙が載置される載置面を有する載置部と、前記載置面に載置された前記用紙の一端の位置を規制する固定ガイドと、前記載置面に対して前記第一方向にスライド可能に設けられ、かつ、前記用紙の他端の位置を規制する可動ガイドと、を備え、前記載置面には、前記可動ガイドがスライドする領域において、前記第一方向に並ぶ複数の凹部が形成されており、前記可動ガイドは、前記固定ガイドと前記第一方向で対向しており、かつ、前記用紙の他端を規制する壁部と、前記載置面に交差する第二方向に延びるレバー部と、前記複数の凹部のうちの所定の凹部とかみ合う凸部と、を有し、前記複数の凹部および前記凸部の少なくとも一方は、前記凸部が前記複数の凹部に対して、前記第一方向の一方側に移動する場合よりも、前記第一方向の他方側に移動する場合の方が、前記所定の凹部に強く引っ掛かるような形状であり、前記凸部は、前記レバー部に対して、前記第一方向の他方側に向けた力が加えられた場合、前記レバー部の前記載置面側の端部を支点にして旋回することにより、前記所定の凹部とのかみ合いが解除されるように、前記レバー部の前記第一方向の一方側に離れた位置に形成されている。
【０００７】
また、前記可動ガイドは、前記レバー部に対して前記第一方向の一方側に向けて力が加えられた場合、前記凸部が前記所定の凹部を乗り越えることにより、前記第一方向の一方側に移動可能であり、前記レバー部に対して前記第一方向の他方側に向けて力が加えられた場合、前記凸部と前記所定の凹部とのかみ合いが解除されることにより、前記第一方向の他方側に移動可能であってもよい。
【０００８】
これによれば、凸部は、複数の凹部に対して、第一方向の一方側に移動する場合には、他方側に移動する場合よりも移動しやすいため、例えば凸部に対して第一方向の一方側に向けて所定の大きさの力が加えられれば、第一方向の一方側に移動できる。つまり、可動ガイドは、レバー部に所定の大きさの力が第一方向の一方側に向けて加えられれば、第一方向の一方側に移動する。しかし、凸部は、同じ所定の大きさの力が加えられても、第一方向の他方側には一方側に移動する場合よりも複数の凹部に対して強く引っ掛かるため、第一方向の他方側に移動しにくい。
【０００９】
このような構成において、レバー部に対して、第一方向の他方側に向けた力が加えられた場合、レバー部の載置面側の端部を支点にして凸部が旋回することにより、凸部と所定の凹部とのかみ合いが解除されるため、第一方向の他方側に向けた力を可動ガイドに加えた場合であっても、可動ガイドを第一方向の他方側に移動させることができる。
【００１０】
つまり、ユーザは、レバー部に対して第一方向の一方側に向けて力を加えた場合には、可動ガイドを第一方向の一方側に移動させることができる。さらに、ユーザは、レバー部に対して第一方向の他方側に向けて力を加えた場合にも、可動ガイドを第一方向の他方側に移動させることができる。このように、可動ガイドは、ユーザにより加えられる力の方向と移動する方向とが一致する構成であるため、ユーザは可動ガイドに対して一方向の力を加えるのみで可動ガイドを移動させることができる。このため、ユーザは、負担無くガイドを移動させることができる。
【００１１】
また、前記複数の凹部のそれぞれは、前記第一方向の一方側の第一面と、前記第一方向の他方側の第二面とを有する、断面がＶ字形状の溝であり、前記第一方向と前記第一面とがなす角の角度は、前記第一方向と前記第二面とがなす角の角度よりも小さく、前記凸部は、前記所定の凹部とかみ合った状態で、前記第一面に接する第三面と、前記第二面に接する第四面とを有する、断面がＶ字形状のリブであってもよい。
【００１２】
これによれば、複数の凹部および凸部の少なくとも一方は、凸部が複数の凹部に対して、第一方向の一方側に移動する場合よりも、第一方向の他方側に移動する場合の方が、所定の凹部に強く引っ掛かるような形状を、簡単な構成で実現できる。
【００１３】
また、前記可動ガイドでは、前記凸部と前記支点とは、前記第一方向に交差する第三方向において異なる位置に形成されており、前記載置面には、前記支点がスライドする領域を除く領域に、前記複数の凹部が形成されていてもよい。
【００１４】
これによれば、支点を複数の凹部とは第三方向における別の位置になるように形成しているため、支点の載置面からの距離を一定にすることができる。つまり、第一方向の可動ガイドの位置にかかわらず支点の載置面からの距離を一定にすることで、レバー部に対して第一方向の他方側に向けて加える力の大きさを可動ガイドの位置にかかわらず常に所定の大きさとすれば、凸部と所定の凹部とのかみ合いを解除させることができる。つまり、ユーザが所定の大きさの力を加えても凸部と所定の凹部とのかみ合いが解除されないことを防ぐことができる。これにより、ユーザは、可動ガイドの位置にかかわらず、一定の力を加えれば第一方向の他方側にガイドを移動させることができ、無用な引っ掛かりが発生することを防ぐことができる。
【００１５】
また、前記可動ガイドは、さらに、前記レバー部に連続しており、かつ、前記レバー部から前記第一方向の一方側に向けて延びる引っ掛かり部と、前記レバー部に連続しており、前記レバー部の前記引っ掛かり部とは前記第三方向に異なる位置から前記第一方向の少なくともいずれかに向けて延びる基部とを有し、前記引っ掛かり部には、前記レバー部から前記第一方向の一方側に離れた位置に、前記凸部が形成されていてもよい。
【００１６】
また、前記レバー部は、前記第一方向の他方側に向けて力が加えられた場合、前記レバー部と前記基部とが互いに近づく方向に弾性変形し、かつ、前記レバー部の傾きに応じて前記引っ掛かり部を旋回させるように、前記基部および前記引っ掛かり部と連続していてもよい。
【００１７】
これによれば、レバー部に力が加えられた場合に、レバー部と基部とは弾性変形し、かつ、レバー部の傾きに応じて引っ掛かり部が旋回するため、レバー部に対して加えられた力がなくなれば、弾性変形が元に戻る。このため、ユーザはレバー部から手を離せばレバー部の傾きは元に戻る。これにより、引っ掛かり部は、旋回した状態から元の位置に戻る。よって、引っ掛かり部の凸部と凹部とは再びかみ合うことになる。このため、可動ガイドは、第一方向における所定の位置でレバー部へ加えられている力がなくなれば、当該所定の位置で移動が規制される。
【００１８】
また、前記レバー部には、前記レバー部から前記載置面に向かって突出し、かつ、前記支点として機能する突起部が形成されており、前記引っ掛かり部および前記基部と前記載置面との間には、前記突起部および前記凸部により前記可動ガイドが前記載置面に対して支持されることにより、隙間が設けられていてもよい。
【００１９】
これによれば、引っ掛かり部および基部と載置面との間には隙間が設けられており、かつ、引っ掛かり部は突起部を支点として旋回することになるため、レバー部と基部と間の弾性変形の変形量が小さくても引っ掛かり部の旋回する距離を大きくすることができる。このため、凸部と所定の凹部とのかみ合いを小さな力で解除させることができ、レバー部と基部との間に負担がかかることを低減できる。これにより、可動ガイドが破損することを防ぐことができる。
【００２０】
また、前記載置部には、前記第一方向に延びるスリットが設けられており、前記基部には、（ｉ）前記スリットを貫通し、（ｉｉ）前記スリットに対して前記第一方向に移動可能であり、かつ、（ｉｉｉ）前記基部が前記載置面から離れないように前記スリットとフックするフック部が形成されており、前記フック部は、前記レバー部の前記支点よりも、前記第一方向の一方側に位置してもよい。
【００２１】
これによれば、フック部がレバー部の支点よりも第一方向の一方側に位置するため、レバー部に対して第一方向の他方側に向けて力が加えられた場合であっても、基部が載置面から離れる方向の浮くことを防ぐことができる。
【００２２】
また、前記凸部は、前記壁部よりも前記第一方向の他方側に設けられてもよい。
【００２３】
このため、凸部の上方に用紙が載置されることを防ぐことができる。このため、例えば、基部の上方に用紙が載置されている場合であっても、用紙により邪魔されることなく凸部の旋回を行うことができる。
【００２４】
また、上述した用紙ガイドと、前記用紙ガイドに載置された用紙が供給され、供給された用紙に印刷を行う印刷部と、を備えるプリンタとして実現してもよい。
【発明の効果】
【００２５】
本発明によると、可動ガイドの位置決めをユーザに負担をかけることなく行うことができる。
【図面の簡単な説明】
【００２６】
【図１】実施の形態に係るプリンタの外観を示す斜視図である。
【図２】実施の形態に係るプリンタの外観を示す斜視図である。
【図３】プリンタの上面およびプリンタの内部構造を除いた図である。
【図４Ａ】用紙が載置されていない場合の用紙ガイドの拡大図である。
【図４Ｂ】用紙が載置されている場合の用紙ガイドの拡大図である。
【図５Ａ】正面側からみた場合の可動ガイドの斜視図である。
【図５Ｂ】背面側からみた場合の可動ガイドの斜視図である。
【図６】図５Ｂの領域Ａ１における拡大図である。
【図７】図４ＡにおけるＡ−Ａ断面図である。
【図８】載置部のうちで可動ガイドが設置されている部分を背面側からみた図である。
【図９Ａ】図４ＡのＢ−Ｂ断面図である。
【図９Ｂ】図４ＡのＢ−Ｂ断面図である。
【図９Ｃ】図４ＡのＢ−Ｂ断面図である。
【図１０】図９Ｂにおける領域Ａ２の拡大図である。
【発明を実施するための形態】
【００２７】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２８】
（実施の形態）
［プリンタの外部構造］
まず、図１および図２を参照しながら、実施の形態に係るプリンタ２の外部構造について説明する。図１および図２はそれぞれ、実施の形態に係るプリンタの外観を示す斜視図である。
【００２９】
図１および図２に示すように、プリンタ２は、例えば、用紙４にインクを吐出することにより印刷を行うインクジェットプリンタである。つまり、プリンタ２は、インクをと出することにより印刷を行う、図示しない印刷部を備える。なお、用紙４は、例えば普通紙、写真用紙、はがき等である。
【００３０】
プリンタ２は、筐体６を備えている。筐体６の背面６ａの上端部には、印刷すべき用紙４を筐体６の内部に供給するための供給口８が設けられている。供給口８には、用紙４が上方より差し込まれる。筐体６の背面６ａの上端部には、さらに、供給口８に差し込まれた用紙４を後方より支持するための供給トレイ１０が固定されている。供給トレイ１０は、供給口８から斜め上方に向けて延びている。
【００３１】
筐体６の前面６ｂには、印刷された用紙４を筐体６の外部に排出するための略矩形状の排出口１３が設けられている。この排出口１３には、略矩形状のカバー部材１１が開閉自在に設けられている。
【００３２】
カバー部材１１は、排出口１３を塞ぐことが可能な板状部材であり、排出口１３の下端部に配置され且つ略水平方向（Ｘ軸方向）に延びる回転軸１５を中心として、排出口１３を開放する開方向および排出口１３を閉塞する閉方向に回転可能である。図１に示すように、カバー部材１１は、閉じた状態では、鉛直方向に対してやや傾斜して延びるようになる。図２に示すように、カバー部材１１は、開いた状態では、排出口１３の下端部から略水平方向に延びるようになり、排出口１３から排出された用紙４を下方より支持するための排出トレイとして機能する。筐体６の上面６ｃには、プリンタ２の操作（例えば、電源のオン・オフ又は印刷の開始等）を実行するための操作パネル２１が設けられている。
【００３３】
［用紙ガイド］
次に、プリンタ２における用紙ガイド１について説明する。
【００３４】
図３は、プリンタ２の上面６ｃおよびプリンタ２の内部構造を除いた図である。図３は、プリンタ２のうちの供給する用紙４を載置しておくための用紙ガイド１について説明するための図である。図４Ａは、用紙が載置されていない場合の用紙ガイドの拡大図である。図４Ｂは、用紙が載置されている場合の用紙ガイドの拡大図である。
【００３５】
図３に示すように、プリンタ２の背面側には、用紙ガイド１が設けられている。用紙ガイド１は、用紙４を第一方向（Ｘ軸方向）における所定の位置に載置するための可動ガイド１００を有する。用紙ガイド１は、載置部１２と、固定ガイド１８と、可動ガイド１００とを備える。
【００３６】
載置部１２は、用紙が載置される載置面Ｓ１（後述する図４Ａ参照）を有する。載置部１２は、筐体６の背面６ａに設けられ、供給トレイ１０の用紙４が載置される面と、載置部１２の載置面Ｓ１とが面一になるように接続されている。また、図４Ａに示すように、載置面Ｓ１には、可動ガイド１００がスライドする領域において、Ｘ軸方向に並ぶ複数の凹部１４が形成されている。載置部１２には、Ｘ軸方向に延びるスリット１６が設けられている。
【００３７】
固定ガイド１８は、図４Ｂに示すように、載置面Ｓ１に載置された用紙４の一端（Ｘ軸方向のマイナス側の端部）の位置を規制する。具体的には、固定ガイド１８は、筐体６の背面６ａに設けられ、背面６ａ（載置面Ｓ１）からＸ軸方向に垂直な方向に向けて起立状に設けられた板状部材である。固定ガイド１８は、筐体６の背面６ａに連続して形成されている。
【００３８】
可動ガイド１００は、載置面Ｓ１に対してＸ軸方向にスライド可能に設けられる。可動ガイド１００は、図４Ｂに示すように、用紙４の他端（Ｘ軸方向のプラス側の端部）の位置を規制する。
【００３９】
次に、可動ガイド１００の具体的な構成について説明する。
【００４０】
図５Ａは、正面側からみた場合の可動ガイドの斜視図である。図５Ｂは、背面側からみた場合の可動ガイドの斜視図である。図６は、図５Ｂの領域Ａ１における拡大図である。
【００４１】
可動ガイド１００は、具体的には、壁部１０１と、レバー部１０２と、基部１０３とを有する。なお、本実施の形態に係る可動ガイド１００は、壁部１０１と、レバー部１０２と、基部１０３とは、一体に成形されている。
【００４２】
壁部１０１は、固定ガイド１８とＸ軸方向で対向しており、かつ、用紙４の他端を規制する（図４参照）。壁部１０１は、基部１０３よりもＹ軸方向のプラス側に延びており、Ｙ−Ｚ平面を形成している。壁部１０１は、Ｙ−Ｚ平面により用紙４の他端を規制する。
【００４３】
レバー部１０２は、載置面Ｓ１に交差する第二方向（Ｚ軸方向）に延びる。具体的には、レバー部１０２は、基部１０３のうちのＹ軸方向に沿った領域からＺ軸方向に延びる板状部材である。レバー部１０２は、Ｘ軸方向に交差するＹ−Ｚ平面に平行であり、基部１０３から連続して形成されている。また、レバー部１０２には、レバー部１０２に連続しており、かつ、レバー部１０２からＸ軸方向のプラス側に向けて延びる引っ掛かり部１０４が形成されている。なお、詳細については後述するが、レバー部１０２は、基部１０３に対して、Ｘ軸方向のマイナス側に傾けられることにより、引っ掛かり部１０４をＺ軸方向のプラス側に向けて旋回させる機能を有する。
【００４４】
引っ掛かり部１０４は、レバー部１０２の載置面Ｓ１側の端部のうちのＹ軸方向の両端の２カ所の位置からＸ軸方向のプラス側に向けて延びる。つまり、引っ掛かり部１０４は、レバー部１０２に２本設けられる。また、引っ掛かり部１０４には、図５Ｂに示すように、レバー部１０２からＸ軸方向のプラス側に離れた位置に、凸部１０４ａが形成されている。凸部１０４ａは、壁部１０１よりもＸ軸方向のマイナス側の位置に設けられる。
【００４５】
基部１０３は、載置部１２のスリット１６にスライド可能に設けられている。基部１０３は、レバー部１０２に連続しており、レバー部１０２の引っ掛かり部１０４とは第三方向（Ｙ軸方向）に異なる位置から第一方向（Ｘ軸方向）の両側に向けて延びている。また、基部１０３は、引っ掛かり部１０４の周囲を取り囲むように、形成されている。つまり、図６に示すように、引っ掛かり部１０４と基部１０３との間の領域であって、レバー部１０２と接続されている領域を除く領域には、スリット１０８が形成されている。つまり、引っ掛かり部１０４と基部１０３とは互いに切り離されるように形成されている。このため、引っ掛かり部１０４は、レバー部１０２の傾きに応じて基部１０３とは独立して旋回することができる構成となっている。
【００４６】
また、基部１０３の裏側（載置面Ｓ１側）には、図５Ｂおよび図６に示すように、レバー部１０２の延長線上に、載置面Ｓ１に向かって突出し、レバー部１０２が傾いたときに引っ掛かり部１０４が旋回するときの支点として機能する突起部１０５が形成されている。つまり、レバー部１０２の載置面Ｓ１側の端部に突起部１０５が形成されているとも言える。また、引っ掛かり部１０４に形成される凸部１０４ａと、突起部１０５とは、それぞれ、Ｙ軸方向において異なる領域Ｒ１および領域Ｒ２で形成されている。また、基部１０３の裏側には、載置部１２に対してＸ軸方向にスライド可能にするためのフック部１０６、１０７および突出部１０９、１１０が形成されている。
【００４７】
次に、フック部１０６、１０７および突出部１０９、１１０について説明する。
【００４８】
図７は、図４ＡにおけるＡ−Ａ断面図である。図８は、載置部のうちで可動ガイドが設置されている部分を背面側からみた図である。
【００４９】
図７に示すように、基部１０３の裏側には、スリット１６を貫通し、スリット１６に対してＸ軸方向に移動可能であり、かつ、基部１０３が載置面Ｓ１から離れないようにスリット１６とフックするフック部１０６が形成されている。フック部１０６は、レバー部１０２の支点として機能する突起部１０５よりも、Ｘ軸方向のプラス側に位置する（図６参照）。また、基部１０３の裏側には、載置部１２の上端とフックし、載置部１２の上端に対してＸ軸方向に移動可能なフック部１０７が形成されている。さらに、基部１０３の裏側には、スリット１６と嵌まり合い、スリット１６に対してＸ軸方向に移動可能な突出部１０９、１１０が形成されている（図８参照）。なお、フック部１０６と突出部１０９、１１０とは、領域Ｒ１および領域Ｒ２とはＹ軸方向に異なる領域Ｒ３において形成されている（図６参照）。つまり、フック部１０６と突出部１０９、１１０とは、スリット１６に対してＸ軸方向に移動可能なガイドとして機能するように、Ｘ軸方向に並んで形成されている。
【００５０】
可動ガイド１００は、引っ掛かり部１０４に設けられる凸部１０４ａが、載置部１２の載置面Ｓ１に形成されている複数の凹部１４のうちの所定の凹部とかみ合うことで、載置部１２のＸ軸方向に対する位置が所定の位置で規制される。次に、可動ガイド１００の凸部１０４ａと複数の凹部１４との関係について図９Ａ〜図９Ｃ、および図１０を用いて説明する。
【００５１】
図９Ａ〜図９Ｃは、図４ＡのＢ−Ｂ断面図である。具体的には、図９Ａは、レバー部１０２に対してＸ軸方向のプラス側に荷重を加えたときについて説明するための図である。図９Ｂおよび図９Ｃは、レバー部１０２に対してＸ軸方向のマイナス側に荷重を加えたときについて説明するための図である。図１０は、図９Ｂにおける領域Ａ２の拡大図である。具体的には、図１０の（ａ）は、図９Ｂにおける領域Ａ２の拡大図であり、図１０の（ｂ）は、図１０の（ａ）の一部をさらに拡大した図である。
【００５２】
図９Ａ〜図９Ｃおよび図１０に示すように、凸部１０４ａは、複数の凹部１４のうちの所定の凹部とかみ合った状態において、所定の凹部とＸ軸方向の両側で接する。また、図１０に示すように、複数の凹部１４のそれぞれは、Ｘ軸方向のプラス側の第一面Ｓ２１と、Ｘ軸方向のマイナス側の第二面Ｓ２２とを有する、断面がＶ字形状の溝である。そして、Ｘ軸方向と第一面Ｓ２１とがなす角θ１の角度は、Ｘ軸方向と第二面Ｓ２２とがなす角θ２の角度よりも小さい。凸部１０４ａは、所定の凹部とかみ合った状態で、第一面Ｓ２１に接する第三面Ｓ１１と、第二面Ｓ２２に接する第四面Ｓ１２とを有する、断面がＶ字形状のリブである。つまり、複数の凹部１４および凸部１０４ａは、凸部１０４ａが複数の凹部１４に対して、Ｘ軸方向のプラス側に移動する場合よりも、Ｘ軸方向のマイナス側に移動する場合の方が所定の凹部に強く引っ掛かるような形状である。
【００５３】
凸部１０４ａおよび複数の凹部１４は、上述したような形状であるため、図９Ａに示すように、レバー部１０２に対してＸ軸方向のプラス側に向けて力が加えられた場合、可動ガイド１００は、凸部１０４ａが所定の凹部を乗り越えることにより、Ｘ軸方向のプラス側に移動可能である。
【００５４】
一方で、凸部１０４ａおよび複数の凹部１４は、上述したように、かみ合った状態において凸部１０４ａがＸ軸方向のマイナス側に移動するときは、複数の凹部１４に強く引っ掛かる形状である。このため、凸部１０４ａが所定の凹部とかみ合っている場合には、可動ガイド１００は、Ｘ軸方向のマイナス側には移動しにくい。つまり、例えば、載置されている用紙４によって、可動ガイド１００の壁部１０１がＸ軸方向のマイナス側に荷重がかけられたとしても、可動ガイド１００は凸部１０４ａが所定の凹部に対して強くかみ合っているためＸ軸方向のマイナス側には移動しにくい状態である。
【００５５】
そこで、図９Ｂおよび図９Ｃに示すように、レバー部１０２に対してＸ軸方向のマイナス側に向けて力が加えられた場合、凸部１０４ａは、レバー部１０２の載置面Ｓ１側の端部の突起部１０５を支点にして旋回する。つまり、引っ掛かり部１０４は基部１０３とは独立して旋回することが可能であり、突起部１０５を支点として凹部から離れる方向に旋回することが可能である。これにより、凸部１０４ａと所定の凹部とのかみ合いが解除される。つまり、凸部１０４ａは、所定の凹部から離れる方向に旋回することにより所定の凹部とのかみ合いが解除されるように、レバー部１０２のＸ軸方向のプラス側に離れた位置に形成されている。つまり、可動ガイド１００は、レバー部１０２に対してＸ軸方向のマイナス側に向けて力が加えられた場合、凸部１０４ａと所定の凹部とのかみ合いが解除されることにより、Ｘ軸方向のマイナス側に移動可能である。
【００５６】
また、レバー部１０２は、Ｘ軸方向のマイナス側に向けて力が加えられた場合、レバー部１０２と基部１０３とが互いに近づく方向に弾性変形し、かつ、レバー部１０２の傾きに応じて引っ掛かり部１０４を旋回させるように、基部１０３および引っ掛かり部１０４と連続している。つまり、レバー部１０２に対して加えた力がなくなれば、弾性変形が元に戻ることになるため、レバー部１０２の傾きは元に戻る。これにより、引っ掛かり部１０４は、旋回した状態から元の位置に戻る。よって、引っ掛かり部１０４の凸部１０４ａと凹部とは再びかみ合うことになる。このため、可動ガイド１００は、Ｘ軸方向における所定の位置でレバー部１０２へ加えられている力がなくなれば、当該所定の位置で移動が規制される。
【００５７】
また、可動ガイド１００は、引っ掛かり部１０４および基部１０３と、載置面Ｓ１との間には、突起部１０５および凸部１０４ａにより載置面Ｓ１に対して支持されることにより、隙間が設けられている。このため、レバー部１０２と基部１０３との間の弾性変形の量が小さくても引っ掛かり部１０４の旋回する距離を大きくすることができる。このため、凸部１０４ａと所定の凹部とのかみ合いを小さな力で解除させることができ、レバー部１０２と基部１０３との間に大きな負担がかかることを低減できる。これにより、可動ガイド１００が破損することを防ぐことができる。
【００５８】
［効果］
本実施の形態に係るプリンタ２によれば、凸部１０４ａは、複数の凹部１４に対して、Ｘ軸方向のプラス側に移動する場合には、マイナス側に移動する場合よりも移動しやすいため、例えば、凸部１０４ａに対してＸ軸方向のプラス側に向けて所定の大きさの力が加えられれば、Ｘ軸方向のプラス側荷移動できる。つまり、可動ガイド１００は、レバー部１０２に所定の大きさの力がＸ軸方向のプラス側に向けて加えられれば、Ｘ軸方向のプラス側に移動する。しかし、凸部１０４ａは、同じ所定の大きさの力が加えられても、Ｘ軸方向のマイナス側には、プラス側に移動する場合よりも複数の凹部１４に対して強く引っ掛かるため、Ｘ軸方向のマイナス側には移動しにくい。
【００５９】
このような構成において、レバー部１０２に対して、Ｘ軸方向のマイナス側に向けた力が加えられた場合、レバー部１０２の載置面Ｓ１側の端部を支点にして凸部１０４ａが旋回することにより、凸部１０４ａと所定の凹部とのかみ合いが解除される。このため、ユーザは、Ｘ軸方向のマイナス側に向けた力をレバー部１０２に加えた場合であっても、可動ガイド１００をＸ軸方向のマイナス側に移動させることができる。
【００６０】
つまり、ユーザは、レバー部１０２に対してＸ軸方向のプラス側に向けて力を加えた場合には、可動ガイド１００をＸ軸方向のプラス側に移動させることができる。さらに、ユーザは、レバー部１０２に対してＸ軸方向のマイナス側に向けて力を加えた場合にも、可動ガイド１００をＸ軸方向のマイナス側に移動させることができる。このように、可動ガイド１００は、ユーザにより加えられる力の方向と移動する方向とが一致する構成であるため、ユーザは、可動ガイドに対して一方向の力を加えることのみで可動ガイドを移動させることができる。このため、ユーザは、負担無くガイドを移動させることができる。
【００６１】
また、本実施の形態に係るプリンタ２によれば、複数の凹部１４のそれぞれは、第一面Ｓ２１と第二面Ｓ２２とを有する、断面がＶ字形状の溝であり、Ｘ軸方向と第一面Ｓ２１とがなす角θ１の角度が、Ｘ軸方向と第二面Ｓ２２とがなす角θ２の角度よりも小さい。また、凸部１０４ａは、所定の凹部とかみ合った状態で、第一面Ｓ２１に接する第三面Ｓ１１と、第二面Ｓ２２に接する第四面Ｓ１２とを有する、断面がＶ字形状のリブである。このため、複数の凹部１４および凸部１０４ａは、凸部１０４ａが複数の凹部１４に対して、Ｘ軸方向のプラス側に移動する場合よりも、Ｘ軸方向のマイナス側に移動する場合の方が、所定の凹部に強く引っ掛かるような形状を、簡単な構成で実現できる。
【００６２】
また、本実施の形態に係るプリンタ２によれば、支点を複数の凹部１４とはＹ軸方向における別の位置になるように形成しているため、支点の載置面Ｓ１からの距離を一定にすることができる。このため、レバー部１０２に対してＸ軸方向のマイナス側に向けて加える力の大きさを常に所定の大きさとすれば、凸部１０４ａと所定の凹部とのかみ合いを解除させることができる。つまり、ユーザが所定の大きさの力を加えても凸部１０４ａと所定の凹部とのかみ合いが解除されないことを防ぐことができる。これにより、ユーザは、可動ガイド１００の位置にかかわらず、一定の力を加えればＸ軸方向のマイナス側に可動ガイド１００を移動させることができ、無用な引っ掛かりが発生することを防ぐことができる。
【００６３】
また、本実施の形態に係る用紙ガイド１によれば、フック部１０６がレバー部１０２の支点よりもＸ軸方向のプラス側に位置するため、レバー部１０２に対してＸ軸方向のマイナス側に向けて力が加えられた場合であっても、基部１０３が載置面Ｓ１から離れる方向に浮くことを防ぐことができる。
【００６４】
また、本実施の形態に係るプリンタ２によれば、凸部１０４ａは、壁部１０１よりもＸ軸方向のマイナス側に設けられるため、凸部１０４ａの上方に用紙４が載置されることを防ぐことができる。このため、例えば、基部１０３の上方に用紙４が載置されている場合であっても、用紙４により邪魔されることなく凸部１０４ａの旋回を行うことができる。
【００６５】
（変形例）
（１）
上記実施の形態に係るプリンタ２によれば、用紙ガイド１は、供給トレイ１０に連続して設けられる筐体６の背面６ａに設けられる形態であるが、これに限らない。例えば、レーザプリンタなどのように、供給される用紙が載置される供給トレイとして、用紙カセットに用紙ガイドが設けられる形態であってもよい。
【００６６】
（２）
上記実施の形態に係るプリンタ２によれば、複数の凹部１４は、それぞれが第一面Ｓ２１および第二面Ｓ２２を有する、断面がＶ字形状の溝であるが、これに限らない。つまり、凸部は、所定の凹部とかみ合った状態において、所定の凹部とＸ軸方向の両側で接しており、かつ、凸部のＸ軸方向のプラス側における接点での法線方向とＸ軸方向とがなす角の角度が、凸部のＸ軸方向の枚な明川における接点での法線方向とＸ軸方向とがなす角の角度よりも小さいことを満たしていればよい。これにより、複数の凹部および凸部の少なくとも一方は、凸部が複数の凹部に対して、第一方向の一方側に移動する場合よりも、第一方向の他方側に移動する場合の方が、所定の凹部に強く引っ掛かるような形状であるといえる。
【００６７】
さらに、上記実施の形態および上記変形例をそれぞれ組み合わせるとしても良い。
【産業上の利用可能性】
【００６８】
本発明は、可動ガイドの位置決めをユーザに負担を掛けることなく行うことができる、可動ガイド、プリンタなどとして有用である。
【符号の説明】
【００６９】
１    用紙ガイド
２    プリンタ
４    用紙
６    筐体
６ａ    背面
６ｂ    前面
６ｃ    上面
８    供給口
１０    供給トレイ
１１    カバー部材
１２    載置部
１３    排出口
１４    複数の凹部
１５    回転軸
１６    スリット
１８    固定ガイド
２１    操作パネル
１００    可動ガイド
１０１    壁部
１０２    レバー部
１０３    基部
１０４    引っ掛かり部
１０４ａ    凸部
１０５    突起部
１０６、１０７    フック部
１０８    スリット
１０９、１１０    突出部
Ｓ１１    第三面
Ｓ１２    第四面
Ｓ２１    第一面
Ｓ２２    第二面
【図１】
2016020252.tif 000003
【図２】
2016020252.tif 000004
【図３】
2016020252.tif 000005
【図４Ａ】
2016020252.tif 000006
【図４Ｂ】
2016020252.tif 000007
【図５Ａ】
2016020252.tif 000008
【図５Ｂ】
2016020252.tif 000009
【図６】
2016020252.tif 000010
【図７】
2016020252.tif 000011
【図８】
2016020252.tif 000012
【図９Ａ】
2016020252.tif 000013
【図９Ｂ】
2016020252.tif 000014
【図９Ｃ】
2016020252.tif 000015
【図１０】
2016020252.tif 000016